(57)【要約】【課題】  本発明は携帯性、収納性に優れ、どこでも簡単に設置することができ、家具としても使用することが可能であり、腰痛を非常に効果的に予防、又は治療する。日常の腰の健康器具及びスポーツ後のアフターケアとしても効果的側面をもつ。【解決手段】  腰痛器具１５は人体の胸部側面を当接することができる支持部１と、椅子としての使用時には人体の上臀部を下方から支持する座面部１０を備えている。この椅子型の健康器具１５は人体の上半身を胸部両側面から均等に支持することができる連結運動装置（リンク機構）４、５、６も備えている。ストッパーピン１１を解除することにより座面部１０が下方への動機となり、１が人体の胸部両側面の内側に動き定位置で支えることになる。臀部が下方へ離反する一方、１により、人体の腰部を空中に浮かせる。【選択図】図１
2013090886.tif 000002
【特許請求の範囲】
【請求項１】
人体の胸部両側面部に当接することができる胸部両側面支持部と、椅子としての使用時には前記人体の少なくとも上腿部を下方から支持する座面部とを備えた椅子型の健康器具であって、前記体の上半身を下方から支持することができる上体支持部（胸部両側支持面）をさらに有し、前記座面部は、下方に変位して前記上体支持部により上半身が支持された前記人体の上腿部の少なくとも一部から離反する一方、前記人体の腰部を空中に浮かせることを特徴とする健康器具。
【請求項２】
請求項１に記載された健康器具であって、前記座面部が解除することができ、下方へ下がることができることを特徴とする健康器具。
【請求項３】
請求項２の作動と同時に胸部両側面支持部は左右から同時に胸部を内側に鋏み上半身を支える機能を持つ健康器具。
【請求項４】
請求項３の動作と同時に座面下部と胸部両側面支持部を同時に連動させる可動部を持つリンク機構を有すことで、左右の胸部両側面支持部が同調しスムーズに稼働する機構を特徴とする健康器具。
【請求項５】
請求項４の動作により上半身が支持され、腰部が浮くことを特徴とする健康器具。
【請求項６】
請求項１〜６はすべて連動し、人体の腰部を垂直に浮かすことができる健康器具。
【請求項７】
本器は機能を失うことなくワンタッチで折りたたむことができ、収縮性、収納性、携帯性に優れたことを特徴とする健康器具。
【発明の詳細な説明】
【技術分野】
【０００１】本発明は腰痛の予防又は治療に使用することができる健康器具の改良に関し、コンパクトに折りたたむ事ができ携帯性にも優れ、椅子としても使用することができる、日常の腰の健康器具。
【背景技術】
【０００２】腰痛を治療又は予防するための手段として、本発明者等は、図５に示すように胴体保持部を支持する一方、腰部を空中に浮かせて、腰部を上半身の重力から解放するなど、下半身の自重によって脊椎を自然に伸ばして、腰痛を非常に効果的に予防又は治療する医療器具を提案した。【０００３】この医療器具は、主に、治療院等の治療するための施設や場所に設置されていて、通院する患者の治療に充てられて、腰痛の予防又は治療に非常に高い効果を発揮することができる実績を積み上げてきた。その結果、現在では、わざわざ通院することなく家庭や各種事業所等においても、同様の予防又は治療を受けたいとの要望が高まっている。【０００４】しかし、上記の従来技術は、元々は、専門治療院向用に開発されたため、比較的大がかりで、また、上方から垂れ下がれた脚吊り手段図５の１０２等を有しているため、通常の家具として使用することは難しく、その結果、見栄えの問題から、必ずしも、一般の家庭や各種事務所とうの個人的空間に設置することには適さない問題もあった。また、購入コストに関しても、手軽に購入することができるレベルに抑制することが要求されるに至っている。
【特許文献１】  国際公開第００／４１６５７パンフレット
【特許文献１】  国際公開第０５／０００１７２パンフレット
【発明の開示】
【発明が解決しようとする課題】
【０００５】本発明が解決しようとする課題は、上記の問題点に鑑み、腰痛を非常に効果的に予防又は治療することができる健康器具が通常時では、家具である椅子としても使用することがき、コンパクトに折りたたむことが可能で家庭や屋外など、どこでも気軽に設置使用することができる、簡易で安価な健康器具を提供することにある。
【課題を解決するための手段】
【０００６】本発明は、上記の課題を解決するための第一の手段として、人体に当接することができる胸部両側面支持部と、椅子としての使用時には人体の少なくとも上半身を下方から支持することができる座面部を備えた椅子型の健康器具であって、座面部は下方に変位して胸部両側面支持部により上半身が支持され、人体の腰部を空中に浮かせることを特徴とする健康器具を提供するものである。【０００７】本発明は上記の座面部が起動すると同時に第二の手段として、左右の胸部両側面支持部が座面下部のリンク機構と連動し、上体部を保持することをと特徴とする健康器具を提供するものである。【０００８】本発明は、上記の座面部が起動すると同時に第三の手段として、上記第一〜二のいずれかの解決手段において、上体支持は胸部両側面支持部から人体の少なくとも胴部側面にまで伸びるように設けられていることを特徴とする健康器具を提供するものである。【０００９】本発明によれば、上記のように、胸部上体支持部により上半身を支持し、  座面部を下方に変位させることにより、人体の腰部を空中に浮かせているため、腰部を下半身の自重によって脊椎を自然に伸ばして腰痛を非常に効果的に予防又は、治療することができる実益がある。【００１０】加えて、本発明は、比較的簡易な構成で製造できるため、製造コストを低減、抑制して、利用者が手軽に使用することができる実益もある。
【発明を実施するための最良の形態】
【００１１】本発明の実施の形態を図面を参照しながら明細に説明すると、図１乃至２は、本発明の健康器具１５を示し、この健康器具１５は、図１乃至図２に示すように人体の胸部両側面部に当接することができる１及図２の１を備え、椅子としての使用時には人体の上半身を支持する座面部１０を備えている。
即ち本発明の健康器具１５は専ら腰痛の予防または治療を目的として用いられるものではあるが、それ以外の場合にも、通常は、家具である椅子として家庭内や事業所、屋外等に設置して使用することもできる。【００１２】本発明の図１乃至図２に示す１、１２は胸部両側面支持部が人体の胸部両側面を均等に圧着させるために、３のスタンドを支点に平行に円弧の軌道をえがきながら１が垂直を保ちながら人体の左右同時に胸部側面を圧着支持する。従って使用者の胸部側面を圧着支持して上半身を持ち上げた状態にすることにより宙に浮いた腰部を浮かせやすくなり使用者の姿勢に無理な負担をかけることなく腰痛の治療または予防を円滑に行うことができる。【００１３】さらに、人体密着部の内側の胸部両側面支持部の構造は、クッション性を有するウレタン等の材料で被覆しさらに外側表面は布地材等で被覆して形成することが望ましい。従って人体に負担をかけずに、優しく自然に上体を保持することができる。【００１４】本発明においては、図１乃至図２の１を左右同時に円滑に動かすために１０を動機に４に伝達され５がすみやかに下降することで、左右同時に１が内側に傾き胸部側面を無理なく自然に支持するリンク機構を有することで左右均等の圧力で胸部側面を支持できる。【００１５】また図１乃至図２の１０の座面部は通常は１１のピンにより保持され通常の椅子として使用される。また１１のピンを解除することにより、１０が動機となり１、２、４、５、６が連動し１が内側に均等に傾斜する。【００１６】なお、本発明は利用者が手軽に使用することができることを考慮し図１乃至図２図の３の上部を左右同時に持ち上げることにより図４の状態になり１１のピンを６の下穴に挿入することでコンパクトに固定され、よって持ち運びや収納ができ、どこでも使用することができる。
【図面の簡単な説明】
【００１７】
【図１】本発明の健康器具の正面図である。
【図２】本発明の健康器具の腰痛を予防または治療する状態を示す正面図である。
【図３】本発明の健康器具の椅子としての使用時における正面図である。
【図４】本発明の健康器具の収納時の正面図である。
【図５】従来の健康器具の斜視図である。
【符号の説明】
【００１８】    １  胸部両側面支持部
２  胸部両側面支持部支持パイプ
３  スタンド
４  移動支えパイプ
５  リンクブロック
６  リンクセンターパイプ
７  スタンド補助パイプ
８  床パイプ
９  リンク取りつけ平板
１０  座面部
【図１】
2013090886.tif 000003
【図２】
2013090886.tif 000004
【図３】
2013090886.tif 000005
【図４】
2013090886.tif 000006
【図５】
2013090886.tif 000007